(57)【要約】【課題】光路中の通過光量を抑制する減光フィルタを光路開口の正確な位置に正しい濃度特性でバラつきなく大量生産することが可能な光学フィルタを提供する。【解決手段】透過光量を抑制するフィルタ１４と、上記フィルタを添着して上記光路に臨ませるベースプレート（絞り羽根）１１と、上記ベースプレート１１と上記フィルタ１４のそれぞれに形成され、相互の接合位置を規定する位置合わせ基準面とから構成し、上記フィルタ１４は、表面に減光膜を形成した透明又は半透明のシートを所定の外形状にプレス成形によって構成し、上記フィルタには、少なくとも１つの濃度境界線を有する２つ以上の濃度領域を形成する減光膜が被膜形成されると共に、上記フィルタ１４の外形状と位置合わせ基準面は、上記濃度境界線から予め設定された距離位置にプレス成形によって同時形成する。【選択図】図３
2010101967.tif 000002
【特許請求の範囲】
【請求項１】
撮像光などの光路中に配置され、通過光量を抑制する減光フィルタであって、
透過光量を抑制するフィルタと、
上記フィルタを添着して上記光路に臨ませるベースプレートと、
上記ベースプレートと上記フィルタのそれぞれに形成され、相互の接合位置を規定する位置合わせ基準面と、
から構成され、
上記フィルタは、表面に減光膜を形成した透明又は半透明のシートを所定の外形状にプレス成形によって構成され、
上記フィルタには、少なくとも１つの濃度境界線を有する２つ以上の濃度領域を形成する減光膜が被膜形成されると共に、
上記フィルタに形成される位置合わせ基準面は、上記濃度境界線から予め設定された距離位置に上記外形状のプレス成形によって形成され、
上記フィルタの外形状と上記位置合わせ基準面は、上記濃度境界線から予め設定された距離位置にプレス成形によって形成されていることを特徴とする減光フィルタ。
【請求項２】
前記減光膜は、前記光路の中心から外側に向かって段階的に濃度が変化する複数の濃度領域を有する多段濃度フィルタか、若しくは徐々に濃度変化するグラデーションフィルタを構成することを特徴とする請求項１に記載の減光フィルタ。
【請求項３】
前記多段濃度フィルタにおける前記位置合わせ基準面は、複数段階に濃度が変化する濃度境界線の１つと所定の位置関係を構成する位置に設けられ、
前記グラデーションフィルタにおける前記位置合わせ基準面は、前記シートの開口縁に形成された無被膜領域と被膜領域の境界に形成される濃度境界線と所定の位置関係を構成する位置に設けられていることを特徴とする請求項１に記載の減光フィルタ。
【請求項４】
前記フィルタの位置合わせ基準面は、円孔、溝孔、切り欠き端面などの切断端面で形成されると共に、前記フィルタの外形状を形成するプレス成形による同時形成されていることを特徴とする請求項１に記載の減光フィルタ。
【請求項５】
前記ベースプレートとフィルタのそれぞれに形成される位置合わせ基準面は、それぞれを同一の位置決めピンに嵌合することによってベースプレートとフィルタ相互の接合位置を規定することを特徴とする請求項１に記載の減光フィルタ。
【請求項６】
光路開口を備えた基板と、
上記光路開口の開口量を調整する絞り部材と、
上記絞り部材に設けられた上記光路開口に臨む開口縁と、
上記開口縁に配置された減光フィルタと、
上記絞り部材を開口量が変化するように移動する駆動手段と、
から構成され、
上記絞り部材は、フィルタを保持するベースプレートで構成され、
上記減光フィルタは請求項１乃至５のいずれか１項に記載の構成を備えていることを特徴とする光量調整装置。
【請求項７】
前記絞り部材は、前記基板の光路開口に対して反対方向に相対移動する一対の開閉部材で構成され、
この一対の開閉部材の一方に前記フィルタが添着されていることを特徴とする請求項６に記載の光量調整装置。
【請求項８】
被写体からの光を所定方向に案内する撮像光路と、
上記撮像光路からの光を結像面に結像するレンズ手段と、
上記結像面に配置され、被写体からの光で写像する撮像手段と、
上記撮像光路に配置され、撮像光量を調整する光量調整装置と、
から構成され、
上記光量調整装置は請求項６又は７に記載の構成を備えていることを特徴とする撮像装置。
【請求項９】
減光特性を有するフィルタを所定形状に型抜き形成してベースプレートに添着する減光フィルタの製造方法であって、
透明又は半透明のシート素材に所定の透光率を有する減光膜を形成する羽根シート形
成工程と、
上記羽根シート形成工程で形成されたシート素材を型抜き成形型に位置決めセットするシートセット工程と、
上記所定位置にセットされたシート素材に形成された上記減光膜の濃度パターンを光学的に読み取り、この読取りパターンから濃度変化の境界線を判別する濃度境界線識別工程と、
上記境界線界識別工程で認識された濃度境界線を基準に上記シート素材と上記型抜き成形型の型抜き位置を相対的に位置調整する型抜き位置補正工程と、
上記型抜き位置補正工程で位置修正された成形型でシート素材を所定形状に型抜き成形してフィルタを生成する羽根成形工程と、
上記羽根成形工程で生成されたフィルタをベースプレートに接着する接着工程と、
から構成され、
上記羽根成形工程では成形型でシート素材を所定形状に型抜き成形する際に位置合わせ基準面を同時形成し、この位置合わせ基準面は上記濃度境界線と所定の位置関係に形成されることを特徴とする減光フィルタの製造方法。
【請求項１０】
減光特性を有するフィルタを所定形状に型抜き形成してベースプレートに添着する減光フィルタの型抜き成形装置であって、
所定の濃度パターンに形成された減光膜を有する素材シートを位置決めセットする載置台と、
上記載置台上のシート素材を所定の形状に型抜き成形する型抜き成形型と、
上記載置台上のシート素材の濃度パターンを光学的に読み取る濃度パターン読取手段と、
上記濃度パターン読取手段の読取りパターンの少なくとも濃度変化の境界線を表示する表示手段と、
上記表示手段に表示された濃度境界線に基づいて上記載置台上のシート素材及び／又は上記型抜き成形型の型抜き位置を位置修正するシフト手段と、
上記型抜き成形型をプレス動作させて上記載置台上のシート素材を所定形状に型抜き成形する駆動手段と、
を備えたことを特徴とする減光フィルタの型抜き成形装置。
【請求項１１】
前記シフト手段は、
前記シート素材をＸ−Ｙ水平方向に位置移動可能に載置するテーブル手段と、
このテーブル手段の水平方向位置を移動するハンドル操作手段と、
から構成されていることを特徴とする請求項１０に記載の減光フィルタの型抜き成形装置。
【発明の詳細な説明】
【技術分野】
【０００１】
本発明はカメラなどの光学機器に使用するＮＤフィルタその他の減光フィルタ及びこれを用いた光量調整装置、並びにその製造方法、成形装置に係わり、所定の濃度パターンが形成されたフィルタを正確な位置で正しいパターン形状で光路中に配置することの可能な位置決め機構の改善に関する。
【背景技術】
【０００２】
一般にこの種の減光フィルタはカメラ（撮像装置）などの光学機器の光路に配置され、通過する光量を減衰するフィルタとして広く使用されている。例えば撮像装置においては、ＮＤフィルタ（ニュートラル・デンシティ・フィルタ）として撮影光量を減衰させで絞り値を調整するために用いられている。
【０００３】
従来のＮＤフィルタの構造及び製造方法を図１４に示す。同図に示すように光路開口１１ａに開閉自在に絞り羽根（開閉部材；以下同様）を配置する。このときこの絞り値を小絞り時に減衰させてシャッタ速度を遅くさせて長時間撮影することが要求される。そこで絞り羽根１１の開口縁にフィルタ（以下「フィルタチップ」という）１４を添着し、光量を減衰させる先端１４ａが光路中心に臨むように構成している。
【０００４】
このような絞り羽根の製造方法は、フィルタチップ１４を絞り羽根１１に添着する際に
貼り付け用の冶工具４０を用いて接着剤で接合している。この冶工具４０は例えばフィルタチップ１４の端面を突き当て規制するチップ突当て面（図示のものは段差）４０ａと、絞り羽根１１の端面を突き当て規制する羽根突当て面（図示のものは段差）４０ｂを設けた載置台４０で構成している。つまり治工具を構成する載置台４０にフィルタチップ１４を位置決めする突当て面と絞り羽根を位置決めする突当て面を設け、この載置台上で羽根位置（姿勢）とチップ位置（姿勢）を規制することによって光路開口１１ａ中にフィルタチップ１４が所定姿勢で配置されるように製作されている。
【０００５】
このような冶工具４０上で絞り羽根１１とフィルタチップ１４を位置合わせした状態で作業者が手指で押さえ、出着剤が固化するまで維持することは両者の位置ズレの原因となる。そこで本出願人は図１３に示す方法を提案した。この方法は特許文献１に開示されているようにテーブル状の載置台４０に位置決めピン４０ｂ、４０ｃを植設する。そしてこの位置決めピン４０ｂ、４０ｃに適合する嵌合孔を、絞り羽根１１に孔１１ｂ、１１ｃとして配置し、同様にフィルタチップ１４に孔１４ｂ、溝１４ｃとして形成する。そこで位置決めピン４０ｂ、４０ｃに絞り羽根の孔１１ｂ、１１ｃを、更にその上にフィルタチップの孔端面１４ｂ、溝端面１４ｃを嵌合させて重ね合わせる。尚図示１４ｍはフィルタチップ１４に形成した接着用のスリットであり、１５は接着剤層である。
【０００６】
これによって１個所若しくは数カ所に配置されている位置決めピン４０ｂ、４０ｃに絞り羽根１１を嵌合支持し、更にその上にフィルタチップ１４を嵌合支持することによって両部材の重ね合わせから接着剤が固化するまでの間、位置ずれすることなく羽根部材を製造することが出来る。
【特許文献１】特開２００１−３５６３８６号公報
【発明の開示】
【発明が解決しようとする課題】
【０００７】
上述のようにフィルタチップと絞り羽根それぞれに位置決め用の端面を孔、溝、外形縁などで構成し、この端面に位置決めピンを嵌合して２枚の板状部材を接合する場合に次の問題が発生する。
【０００８】
前掲特許文献１の場合にはフィルタチップ１４は単濃度即ちチップ全体が均一濃度（均一厚さ）の減光膜が被膜形成されている。このような単濃度チップでは光路開口に臨むチップの形状と開口を占有する面積が所定の設計値と一致すれば同一機能のフィルタ、光量調整装置を大量生産することが可能である。
【０００９】
ところがフィルタチップとして、光の透過率が異なる多濃度フィルタを構成すると、このチップを光路開口に臨む形状と面積が均一であっても濃度パターンが異なれば光学特性が異なったものとなる。例えば濃度が段階的に変化する濃度パターンの多段濃度フィルタ構成、或いは濃度が直線的に漸減する濃度パターンのグラデーションフィルタ構成の場合にはチップに施されている濃度パターンが予め設定されている設計値と一致しなければ同一機能のフィルタを大量生産することができない。
【００１０】
そこで従来の製造方法でこのような多濃度フィルタを生産する場合には作業者が濃度パターンを目視しながら絞り羽根の最適位置にチップを接着剤で添着する以外方法がなかった。これは図１２に示すようにプラスチックシートなどの基材Ｆに蒸着膜などで減光膜を形成し、このシートからフィルタチップを型抜き成形などで成形する。このとき多濃度フィルタ構成ではシート上に同図に示すように第１濃度領域ＮＤ１と第２濃度領域ＮＤ２の濃度パターンが形成される。同図のパターンは領域ＮＤ１と領域ＮＤ２はそれぞれ均一濃度に形成され、領域ＮＤ１の透光率は領域ＮＤ２の透光率より大きく設定されている。このため領域の境界には濃度境界線ＮＬ１が直線状に描かれる。そこでシート素材Ｆから図示形状の型抜き成形型でフィルタをプレス成形する。このとき濃度境界線ＮＬ１に傾きｄが生ずると、フィルタＹとフィルタＺでは濃度領域の面積が異なる。このように同一の作業工程で製作しフィルタＹとＺでは光学特性（特に光吸収性能）が異なってしまう。
【００１１】
従って従来のシート素材から複数のフィルタを型抜き成形する場合には、型抜き型と濃度パターンを全ての羽根が均一となるようにセットして型抜きしなければ多濃度フィルタを均一な濃度特性で生産することは出来ない。ところが従来は、前掲特許文献１のように単濃度フィルタで位置合わせ基準面（図１３に示す孔端面１４ｂ、溝端面１４ｃ）を形成しているため多濃度フィルタに於ける上述の問題は未だ解決されていない。
【００１２】
本発明者はフィルタチップを生産する過程で、シート素材から複数のチップ（羽根片）を型抜き成形する際に、その外縁形状と位置合わせ基準面（孔端面、溝端面、縁端面など）を濃度パターンの境界線を基準にこの３者（外縁と端面と境界線）が一定の位置関係を構成するように成形するとの着想に至った。
【００１３】
光路中の通過光量を抑制する減光フィルタを光路開口の正確な位置に正しい濃度特性
でバラつきなく大量生産することが可能な光学フィルタとその製造方法の提供をその課題としている。
更に本発明は、光路開口に臨む減光フィルタの外形状と専有面積と同時に濃度パターンを予め設定された設計値に簡単に合致させることの可能な減光フィルタの型抜き成形装置の提供をその課題としている。
【課題を解決するための手段】
【００１４】
本発明は上記課題を解決するため、以下の構成を採用したものである。透過光量を抑制するフィルタ（１４）と、上記フィルタを添着して上記光路に臨ませるベースプレート（絞り羽根）（１１）と、上記ベースプレート（１１）と上記フィルタ（１４）のそれぞれに形成され、相互の接合位置を規定する位置合わせ基準面とから構成し、上記フィルタ（１４）は、表面に減光膜を形成した透明又は半透明のシートを所定の外形状にプレス成形によって構成し、上記フィルタには、少なくとも１つの濃度境界線を有する２つ以上の濃度領域を形成する減光膜が被膜形成されると共に、上記フィルタ（１４）の外形状と位置合わせ基準面は、上記濃度境界線から予め設定された距離位置にプレス成形によって形成する。
【００１５】
前記減光膜は、前記光路の中心から外側に向かって段階的に濃度が変化する複数の濃度領域を有する多段濃度フィルタか、若しくは徐々に濃度変化するグラデーションフィルタを構成する。
【００１６】
前記多段濃度フィルタにおける前記位置合わせ基準面は、複数段階に濃度が変化する濃度境界線の１つと所定の位置関係を構成する位置に設け、前記グラデーションフィルタにおける前記位置合わせ基準面は、前記シートの開口縁に形成された無被膜領域と被膜領域の境界に形成される濃度境界線と所定の位置関係を構成する位置に設ける。
【００１７】
前記フィルタの位置合わせ基準面は、円孔、溝孔、切り欠き端面などの切断端面で形成されると共に、前記フィルタの外形状を形成するプレス成形による同時形成される。
【００１８】
前記ベースプレート（１１）とフィルタ（１４）のそれぞれに形成される位置合わせ基準面は、それぞれを同一の位置決めピンに嵌合することによってベースプレートとフィルタ相互の接合位置を規定する。
【００１９】
本発明に係わる光量調整装置は、光路開口を備えた基板と、上記光路開口の開口量を調整する絞り部材と、上記絞り部材に設けられた上記光路開口に臨む開口縁と、上記開口縁に配置された減光フィルタと、上記絞り部材を開口量が変化するように移動する駆動手段とから構成し、上記絞り部材は、フィルタを保持するベースプレートで構成し、上記減光フィルタは上述の構成を備える。
【００２０】
前記絞り部材は、前記基板の光路開口に対して反対方向に相対移動する一対の開閉部材で構成し、この一対の開閉部材の一方に前記フィルタを添着する。
【００２１】
本発明に係わる撮像装置は、被写体からの光を所定方向に案内する撮像光路と、上記撮像光路からの光を結像面に結像するレンズ手段と、上記結像面に配置され、被写体からの光で写像する撮像手段と、上記撮像光路に配置され、撮像光量を調整する光量調整装置と、から構成し、上記光量調整装置は上述の構成を備える。
【００２２】
減光特性を有するフィルタを所定形状に型抜き形成してベースプレートに添着する減光フィルタの製造方法であって、透明又は半透明のシート素材に所定の透光率を有する減光膜を形成する羽根シート形成工程と、上記羽根シート形成工程で形成されたシート素材を型抜き成形型に位置決めセットするシートセット工程と、上記所定位置にセットされたシート素材に形成された上記減光膜の濃度パターンを光学的に読み取り、この読取りパターンから濃度変化の境界線を判別する濃度境界線識別工程と、上記境界線界識別工程で認識された濃度境界線を基準に上記シート素材と上記型抜き成形型の型抜き位置を相対的に位置調整する型抜き位置補正工程と、上記型抜き位置補正工程で位置修正された成形型でシート素材を所定形状に型抜き成形してフィルタを生成する羽根成形工程と、上記羽根成形工程で生成されたフィルタをベースプレートに接着する接着工程とから構成し、上記羽根成形工程では成形型でシート素材を所定形状に型抜き成形する際に位置合わせ基準面を同時形成し、この位置合わせ基準面は上記濃度境界線と所定の位置関係に形成する。
【００２３】
減光特性を有するフィルタを所定形状に型抜き形成してベースプレートに添着する減光フィルタの型抜き成形装置であって、所定の濃度パターンに形成された減光膜を有する素材シートを位置決めセットする載置台と、上記載置台上のシート素材を所定の形状に型抜き成形する型抜き成形型と、上記載置台上のシート素材の濃度パターンを光学的に読み取る濃度パターン読取手段と、上記濃度パターン読取手段の読取りパターンの少なくとも濃度変化の境界線を表示する表示手段と、上記表示手段に表示された濃度境界線に基づいて上記載置台上のシート素材及び／又は上記型抜き成形型の型抜き位置を位置修正するシフト手段と、上記型抜き成形型をプレス動作させて上記載置台上のシート素材を所定形状に型抜き成形する駆動手段とを備える。
【００２４】
前記シフト手段は、前記シート素材をＸ―Ｙ水平方向に位置移動可能に載置するテーブル手段と、このテーブル手段の水平方向位置を移動するハンドル操作手段とから構成される。
【発明の効果】
【００２５】
本発明は、表面に減光膜を形成した透明又は半透明のシート素材を所定の羽根形状に型抜き成形する際に、羽根の外形状と同時にベースプレートへの接合位置を規定する位置合わせ基準面を濃度領域に形成された濃度境界線を基準に位置合わせして成形するものであるから以下の効果を奏する。
【００２６】
所定の減光特性を有するシート素材を型抜き成形する際に、羽根の外形状と同時に絞り羽根などのベースプレートに添着する位置合わせ基準面を同時形成したものであるからこの端面（孔端面、溝端面、縁端面など）を位置決めピンなどで位置規制して添着することによって光路開口に予め設定された設計値に適合した外形状と専有面積でフィルタを臨ませることが出来る。これと同時に型抜き成形時には上記位置合わせ基準面と外形状を濃度境界線を基準に位置合わせして成形するから光路開口に臨むフィルタの濃度特性を最適値に適合させることができる。
【００２７】
特に本発明は、少なくとも１つの濃度境界線を有する２つ以上の濃度領域で減光膜を形成する為、２段階以上の複数段に形成される多段濃度羽根の場合には選択された１つの濃度境界線を基準に型抜き位置を設定し、濃度特性が直線的に漸減するグラデーション羽根の場合には羽根の開口縁に形成される無被膜領域とこれに連なる濃度領域との境界を基準に型抜き位置を設定することによって広汎な濃度特性の羽根に本発明を採用することが可能であるなど顕著な効果を奏する。
【発明を実施するための最良の形態】
【００２８】
以下図示の好適な実施の態様に基づいて本発明を詳述する。図１は本発明に係わる減光フィルタＡの構造と、ベースプレート（絞り羽根）への接着位置を規定する位置決め方法を示す説明図である。図２は本発明に係わる光量調整装置Ｂの組み立て分解図である。以下本発明を［減光フィルタの構成］、［光量調整装置の構成］、［撮像装置の構成］、［減光フィルタの製造方法］、［減光フィルタの型抜き成形型（装置）］の順に説明する。
【００２９】
［減光フィルタの構成］
本発明に係わる減光フィルタＡは、図１及び図２の一部に示すように、ベースプレート（以下「絞り羽根」という）１１と、フィルタ（以下「フィルタチップ」という）１４で構成されている。図示のベースプレート１１は後述する光量調整装置Ｂの絞り羽根で構成されている。このベースプレートは金属薄板、プラスチック薄板などで構成され、撮影光路など光学機器の光路に配置される。つまり図２に示す撮像装置における光量調整装置Ｂにあっては光量調整装置Ｂの基板１３に形成された光路開口１３ａに配置され、その開口量を調整する絞り羽根１１がベースプレートを構成している。この他ベースプレートとしては光路にフィルタを支持するフレーム枠で構成することも可能である。
【００３０】
上記ベースプレート１１は、プラスチック薄板で構成され、後述する一対の絞り羽根１１、１２の一方で構成され、光路開口１３ａに臨む開口縁１１ａと、この開口縁１１ａに小絞り用の狭窄縁１１ｘが形成されている。図示１１ｕと１１ｔはガイド溝でいずれもベースプレート１１に形成されている。このガイド溝には後述する光量調整装置Ｂの構成では基板１３に植設されたガイドピン１３ｃに係合され、基板１３の光路開口１３ａを過ぎるようにベースプレート（以下「絞り羽根」という）１１を図２左右方向に摺動させる。これによってベースプレート１１に形成した開口縁１１ａは光路開口１３ａの開口量を大小調整するようにガイドピン１３ｃに案内される。図１に示す１１ｓは駆動ピン係合孔であり、駆動モータ２０（図２参照）に連結した駆動ピン２２ｂが係合孔１１ｓに嵌合されている。この駆動モータ２０と駆動ピン２２ｂで絞り羽根１１を開閉動する駆動手段が構成されている。
【００３１】
上記フィルタチップ１４は、ベースプレート１１の開口縁１１ａに添着され、光路開口１３ａの中央に向かって突出するチップで形成されている。このフィルタチップ１４は後述するようにシート素材Ｓｈに被膜形成された減光膜ＮＤ（図示ＮＤ１、ＮＤ２の総称）で構成されている。つまり光路開口１３ａを開閉して開口径を大小調節する絞り羽根１１には、小絞り状態を形成する開口縁１１ａの狭窄縁１１ｘにフィルタチップ１４が添着されている。このフィルタチップ１４は透明又は半透明の素材上に後述する濃度パターンの減光膜ＮＤが形成されている。
【００３２】
そして上記フィルタチップ１４には絞り羽根１１に添着する際の接合位置を規定する位置合わせ基準面１４ｂと１４ｃが形成してある。この位置合わせ基準面は１個所又は２〜３個所など複数個所に形成され、フィルタチップ１４の水平方向姿勢を規定するように形成されている。つまり１個所のチップの場合は水平方向に長い溝端面で形成され、２〜３個所のチップの場合は水平方向に距離を隔てた位置に孔端面或いは縁端面で複数個所に形成される。この位置合わせ基準面１４ｂ、１４ｃには後述する位置決めピン４０ｂ、４０ｃが嵌合され、この端面１４ｂ、１４ｃと同一の位置合わせ基準面（孔）１１ｂ、１１ｃを有する絞り羽根１１が位置決めされる。つまりフィルタチップ１４と絞り羽根１１には同一個所にそれぞれ位置合わせ基準面（孔）１１ｂ、１１ｃと１４ｂ、１４ｃが形成され、この両端面に共通の位置決めピン４０ｂ、４０ｃを係合することによってフィルタチップ１４と絞り羽根１１を所定の位置に位置決めすることが出来る。尚フィルタチップ１４に形成されたスリット１４ｍは接着剤の湯溜め溝であり、図示１５は接着剤層であり、絞り羽根１１にフィルタチップ１４を接着している。
【００３３】
上述のフィルタチップ１４に形成されている減光膜ＮＤについて説明する。本発明にかかわるフィルタチップ１４には透光率の異なる２つ以上の濃度領域ＮＤ１、ＮＤ２を有する多濃度パターン「多段濃度フィルタ」構造と、濃度が直線的に変化（漸減）する「グラデーションフィルタ」構造を採用する。図９（ａ）に多段濃度フィルタＳＦの濃度パターンを、（ｂ）にグラデーションフィルタＧＦの濃度パターンをそれぞれ示す。また図１０（ａ）には多段濃度フィルタＳＦの光透過率を、（ｂ）にはグラデーションフィルタＧＦの光透過率を模式的示している。
【００３４】
多段濃度フィルタＳＦは、図９（ａ）に示すように適宜形状のプラスチックシートに蒸着膜などで減光膜を形成する。この減光膜は第１濃度領域ＮＤ１と、第２濃度領域ＮＤ２及び第３濃度領域ＮＤ３とに異なる透過率の膜厚に被膜形成する。従って図１０（ａ）に示すように第１濃度領域ＮＤ１、第２濃度領域ＮＤ２、第３濃度領域ＮＤ３ではそれぞれ透過率（≒濃度）が異なり、ＮＤ１の透過率＜ＮＤ２の透過率＜ＮＤ３の透過率と段階的に濃度が濃くなるように２段階、或いは３段階など多段階に形成されている。各濃度領域の境界には濃度境界線ＮＬ１、ＮＬ２、ＮＬ３、ＮＬ４が形成されている。尚図示ＮＬ１は無被膜領域（正確には素材濃度）と第１濃度領域ＮＤ１との境界に形成された濃度境界線である。この濃度境界線ＮＬ１、ＮＬ２、ＮＬ３、ＮＬ４は目視識別可能な場合と目視識別が困難な場合がある。
【００３５】
グラデーションフィルタＧＦは、図９（ｂ）に示すようにプラスチックシートに蒸着膜などで減光膜を形成する。このときの減光膜ＮＤは直線的に濃度が漸減変化するように膜形成する。つまり図１０（ｂ）に示すように無被膜領域（正確には素材濃度）ＮＤ４と漸増濃度領域ＮＤ５に徐々に濃度変化するように膜形成されている。そして無被膜領域ＮＤ４と漸増濃度領域ＮＤ５との境界には濃度境界線ＮＬ６が形成されている。この濃度領域ＮＬ６も前述のものと同様に目視識別可能な場合と目視識別が困難な場合がある。
【００３６】
上述の減光フィルタＡは、多段濃度フィルタＳＦ或いはグラデーションフィルタＧＦなどの濃度パターンで減光膜が被膜形成される。このためフィルタチップ１４の外形形状と位置合わせ基準面１４ｂ、１４ｃの位置関係（寸法）が設計寸法と一致しても濃度パターンが羽根毎に異なってしまう問題が生ずる。そこで本発明は後述の方法（「減光フィルタの製造方法」参照）で濃度パターンと位置合わせ基準面１４ｂ、１４ｃの位置関係を予め設定されている設計値と一致させることを特徴としている。
【００３７】
［光量調整装置の構成］
次に上述の減光フィルタＡを用いた光量調整装置Ｂについて説明する。図２にその組立て分解図（斜視図）を示す。光量調整ユニット１０は、基板（地板）１３と、この基板１３に配置された一対の絞り羽根（絞り開閉部材）１１、１２と、この絞り羽根１１，１２を開閉駆動する駆動モータ２０で構成されている。上記基板（地板）１３には光路開口１３ａが設けられ、この光路開口１３ａの開口量を大小調整するように一対の絞り羽根１１、１２が反対方向に回移動するように地板１３に支持されている。この絞り羽根１１、１２には開口縁１１ａ、１２ａが形成されている。一方の絞り羽根１１の開口縁１１ａにはフィルタチップ１４が添着されている。その構成は図１に基づいて前述した通りである。図示１３ｂ，１３ｃは絞り羽根１１，１２をスライド自在に支持するガイドピンであり、図示１３ｅ，１３ｇは駆動モータ２０を固定支持する折り曲げ固定部である。
【００３８】
前記光量調整ユニット１０を適宜開閉する駆動モータ２０は、地板１３の折り曲げ固定部１３ｅ，１３ｇにより係止される係止爪２３ａと、駆動モータ２０の両脇から延設し、地板１３の切り欠き孔１３ｄ，１３ｆを介し絞り羽根１１，１２の駆動ピン係合孔１１ｓ，１２ｓと係合する連動アーム２２ａ，２２ｂと、外周部２３に駆動コイルと制動コイルを重ね巻きした導電コイル２４と、その導電コイル２４の各コイル端を電気的に引き出すための口出し端子２５と、筐体内部に回動可能に支持され前記連動アーム２２ａ，２２ｂを揺動するマグネットロータ２１、該マグネットロータ２１の非作動時の位置を磁気的に決める一部側面２６ａがカットされたＣ字形状の磁性体からなるヨーク２６を有する。
【００３９】
前記駆動モータ２０に外部装置から電源を供給し適宜駆動するための接続端子部３０は、駆動モータ２０に半田付け固定される支持部３１に導電コイル２４の各口出し端子２５を外部電源に接続する電極パターン３２と、マグネットロータ２１の磁極に対峙しその磁気変化を検知すると共に、その時の絞り開口量を検出し適正な絞り量に制御するための制御信号を出力する磁気検出素子３３を有する。
【００４０】
以上の構造からなる絞り装置は、カメラ等の光学機器のレンズユニット内に装着され、光路開口１３ａを通過する光量を絞り羽根１１，１２で絞り込むことで光量調整を行う。その際に、外光輝度が高くなるにつれ絞り込み、所定量の絞り込み位置よりフィルタチップ１４が光路内に入り込むことで光量を透過減衰させると共に、絞り羽根１１，１２による絞り込み量を大きくし、回折現象を防止する。
【００４１】
次に、上記絞り装置の絞り羽根１１に設けられるフィルタチップ１４の貼り付け構造について図１に基づいて説明する。図１はフィルタチップ１４の貼り付け構造の第１の実施形態を示したもので、（ａ）は貼り付け前、（ｂ）は貼り付け後の状態を示したものである。図に示すように、冶工具４０には位置決めピン４０ｂ，４０ｃが設けられる。絞り羽根１１には前記位置決めピン４０ｂ，４０ｃに嵌合される基準面（孔）１１ｂ、１１ｃが形成され、フィルタチップ１４にも同様に位置決めピン４０ｂ，４０ｃに嵌合し位置合わせ基準面１４ｂ、１４ｃが形成される。フィルタチップ１４には、さらにフィルタ使用面１４ａに接着剤１５が流れ出さないように形成された溝状の接着部（湯溜め溝）１４ｍを有する。図示するように冶工具４０に絞り羽根１１をセットした上でフィルタチップ１４を重ね合わせて保持し、接着剤１５を使ってフィルタチップ１４の接着部（湯溜め溝）１４ｍと絞り羽根１１を接合する。しばらくそのままの状態で接着剤１５がある程度乾くまで放置し、位置ずれしないようにして完全に固着させる。
【００４２】
尚、フィルタチップを光量調整手段に対して位置決めし、接合するために設けられた孔部若しくは切り欠き部等の係合部材は、通常もう一方の光量調整手段により遮蔽されるか、光量調整手段をスライド自在に支持する地板によって遮蔽され、カメラ等の開口部に光が漏れる等の問題も発生することがない。また、上記実施例では光量調整手段として開口部の開口径を絞り込む絞り羽根にフィルタチップを貼り付けてなるものであるが、単にフィルタチップを開口部に出し入れする羽根に似た形状の部材に貼り付けたものであってもよい。
【００４３】
［撮像装置］
次に前述した光量調整装置Ｂを組み込んだ撮像装置について説明する。図１１に撮像装置の要部（レンズ鏡筒部）を示す。レンズ鏡筒（撮像光学系）１００には光路（撮像光路）１０６が形成されている。この光路１０６には前レンズ１０３、主レンズ１０２、後レンズ１０７がこの順に配置されている。そしてこの主レンズ１０２の結像面１０４に撮像素子（ＣＣＤディバイス）１０５が配置されている。そこで主レンズ１０２と後レンズ１０７の間に光量調整装置Ｂが配置されている。この光量調整装置Ｂの構成は図２に基づいて前述した通りである。
【００４４】
そこで被写体からの光（撮像光）は前レンズ１０３から主レンズ１０２に案内され、撮像素子１０５が配置されている結像面１０４に結像する。この過程で、光量調整装置Ｂによって撮影光量が調整され、結像面１０４に至る。この結像面１０４で撮像素子１０５によって光電変換され画像データは電気信号として出力される。
【００４５】
そこで、上記光量調整装置Ｂは光路１０６入射する光量が多い場合は前述の絞り羽根１１及びフィルタチップ１４が撮影光量を調整する。この光量調整は絞り羽根１１で、光路径を大小に絞ることによって光量調整し、フィルタチップ１４は通過する光量の透過率を大小に調節する。
【００４６】
［減光フィルタの製造方法］
次に光量調整フィルタ成型方法について説明する。本発明は前述のフィルタチップ１４を適宜サイズのシート素材Ｓｈに減光膜を成膜成形し、このシート素材Ｓｈをプレス型５５で型抜き成形することによって複数のフィルタチップ１４を同時成形することを特徴としている。以下各工程について説明する。
【００４７】
「羽根シート形成工程」
まず、フィルタチップのシート素材を製作する。図示の減光フィルタＡは透明又は半透明の合成樹脂でシート素材Ｓｈを成形する。このシート素材Ｓｈは、例えば温度特性に優れたノルボルネン系樹脂をシート状に成形する。このシート表面に減光膜を形成する。この減光膜は、例えば光吸収体層と誘電体層を交互に積層し、その最上層の上に硬質の被膜（例えばフッ化マグネシウム（ＭｇＦ2）膜）を形成し、最後に膜層全体を撥水性皮膜でコーティング処理する（図８（Ｓｔ０１））。このように形成されたシート素材Ｓｈには図９に示すように帯状の濃度パターンが形成される。同図（ａ）は多段濃度フィルタを示し、（ｂ）はグラデーションフィルタを示す。
【００４８】
「シートセット工程」
上記工程で製作されたシート素材Ｓｈを後述する型抜き成形装置の載置台５１に載置しクランプ機構で固定セットする。（図８（Ｓｔ０２））
【００４９】
「濃度境界線識別工程」
上記工程で載置台５１にセットとされたシート素材Ｓｈの濃度パターンを画像読取手段６０で画像読取する。図示の画像読取手段６０はＣＣＤカメラで構成されている。従って載置台５１上のシート素材Ｓｈの濃度パターンは電気信号として信号処理され、表示手段（図示せず）によって表示される。この場合多段濃度フィルタＳＦ（図９（ａ））或いはグラデーションフィルタＧＦ（図９（ｂ））が目視可能な場合には表示手段にそのまま信号転送する。またこの濃度パターンが目視不可能な場合には画像処理で濃度境界線ＮＬを抽出して強調補正する。この濃度境界線抽出は、多段濃度フィルタＳＦの場合、図１０（ａ）に示すように段階的に現れた濃度変化のエッジ（輪郭）を抽出する。またグラデーションフィルタＧＦの場合には図１０（ｂ）に示すように無被膜領域（減光膜を形成しない余白部）と濃度被膜を形成した部分の境界を抽出する。そしてこのように画像処理された境界線は濃淡、色彩などで強調表現され目視可能にする（図８（Ｓｔ０３））。
【００５０】
このような工程で載置台５１にセットとされたシート素材Ｓｈの濃度パターンは、画像読取手段６０で読み取られ、その画像処理で濃度境界線ＮＬが抽出され図示しない表示手段に強調表示される。
【００５１】
「型抜き位置補正工程」
上述のように載置台５１にセットされたシート素材Ｓｈは、その濃度パターンが濃度境界線ＮＬと共に表示手段に表示される。そこでオペレータはこの表示手段を目視しながらシート素材Ｓｈを載置しているテーブル手段５２の位置を修正する。この位置修正は、濃度パターンに形成されている濃度境界線ＮＬを基準にプレス型５５の型抜き位置を補正する。例えば濃度境界線ＮＬを図７（ａ）方向に位置移動するとフィルタチップ１４の濃度領域を予め設定されている設計値と一致させることが出来る。また、濃度境界線ＮＬに傾きαが形成された場合にも載置台５１を回転させることによって傾き修正することが出来る（図８（Ｓｔ０４））。
【００５２】
「型抜き成形工程」
上述の位置修正工程でシート素材Ｓｈとプレス型５５の位置関係が修正され、フィルタチップ１４の外形形状と位置合わせ基準面と濃度パターンが一定の位置関係（設計値）にセットされる。そこでオペレータは図示しない操作ボタンを操作してプレス型５５にプレス動作を実行させる。するとシート素材Ｓｈからプレス型５５に応じた個数の羽根が大量生産される（図８（Ｓｔ０５））。
【００５３】
「接着工程」
次にオペレータは組立て治具（治具台４０）に絞り羽根１１を位置決めセットする。このとき羽根１１に形成されている位置合わせ基準面（孔）１１ｂ、１１ｃを位置決めピン４０ｂ、４０ｃに嵌合させる。次いでオペレータはフィルタチップ１４を絞り羽根１１の上に重ね合わせる。このとき絞り羽根１１に形成されている位置合わせ基準面１４ｂ、１４ｃを位置決めピン４０ｂ、４０ｃに嵌合させる。その後フィルタチップ１４に形成されている接着部（湯溜め溝）１４ｍに接着剤を滴下して固定する（図８（Ｓｔ０６））。
【００５４】
［減光フィルタの型抜き成形装置］
次に上述の製造法で使用する型抜き成形型（装置）について図６に従って説明する。この装置は図６に示すように、装置フレーム５０と、載置台５１と、テーブル手段５２と、画像読取手段６０と、プレス型５５とで構成されている。
【００５５】
上記装置フレーム５０は適宜の作業台形状に構成され、これに載置台５１が設けられている。この載置台５１はＸ−Ｙ方向に移動可能にテーブル手段５２を支持している。このテーブル手段５２はシート素材Ｓｈを支持し、水平方向（Ｘ−Ｙ方向）及び回転方向（Ｒ方向）に移動可能に構成されている。またこのテーブル手段５２には図示しないがシート素材Ｓｈを固定するクランプ機構が装備されている。従ってテーブル手段５２に固定セットされたシート素材Ｓｈは水平方向（Ｘ−Ｙ方向）に位置移動可能であり、同時に回転方向（Ｒ方向）に回転可能に構成されている。そして図示のハンドル操作手段５３の操作でＸ−Ｙ方向に及びＲ方向に位置移動可能に構成されている。
【００５６】
上記画像読取手段６０はテーブル手段５２に固定セットされたシート素材Ｓｈの濃度パターンを撮影する撮像（カメラ）手段で構成されている。また図示しないがこの画像読取手段６０で読み取った画像を目視する表示手段が備えられている。従ってテーブル手段５２に載置固定されたシート素材Ｓｈは、画像読取手段６０でその形状と濃度パターン（模様）が画像データとして読み取られ、表示手段（図示しないディスプレーなど）に表示される。従って作業者はこの表示手段を見ながらテーブル手段５２上のシート素材ＳｈをＸ−Ｙ方向に位置移動し、或いはＲ方向に回転させることが可能となる。そしてこの操作はハンドル操作手段５３によって手動で実行するようになっている。
【００５７】
上記テーブル手段５２にはプレス型５５が備えられている。このプレス型５５はシート素材Ｓｈを挟んで上方に可動型、下方に固定型が設けられ、この可動型と固定型は一方が雄型に他方が雌型に構成されている。図示５５ａは可動雄型を示し、この可動雄型５５ａは図示しないガイドステムに沿って上下動可能に支持され、油圧駆動手段（不図示）に連結されている。従って油圧駆動手段を制御すると、可動雄型５５ａが降下して固定雌型との間でシート素材Ｓｈを型抜き成型することとなる。この雄型と雌型（以下「プレス型５５」という）は設計された外形形状にシート素材Ｓｈを成形し、同時に前述の位置合わせ基準面１４ｂ、１４ｃを成形する。
【００５８】
このように構成された型抜き成形装置ではテーブル手段５２にセットされたシート素材Ｓｈの濃度パターンを画像読取手段６０出読取り、これを表示手段（不図示）に表示する。そしてテーブル手段５２はＸ−Ｙ方向及び回転方向Ｒに位置調整可能に構成されているから作業者は表示手段を目視しながら位置調整し、その位置修正後にプレス型５５を作動させる。これによってフィルタチップ１４を予め設定された設計寸法に外形形状を形成し、同時に位置合わせ基準面１４ｂ、１４ｃを形成することが出来る。この位置合わせで、フィルタチップ１４の濃度パターンと外形形状及び位置合わせ基準面１４ｂ、１４ｃの位置関係を設計値に一致させることが可能となる。
【００５９】
尚、本発明にあって型抜き位置の修正は、シート素材Ｓｈをチャッキングしたテーブル手段５２をＸ−Ｙ方向及びＲ方向に回転させる場合について説明したが、これは、シート素材Ｓｈを固定し、プレス型５５をＸ−Ｙ方向に平行移動及びＲ方向に回転移動させるように構成しても良いことは勿論である。更にシート素材Ｓｈを載置台５１にチャッキングするチャッキング機構を着脱可能に構成し、オペレータがこのチャッキング機構を解除してシート素材Ｓｈを位置修正するように構成しても良い。
【図面の簡単な説明】
【００６０】
【図１】本発明に係わる減光フィルタＡの構造説明図であり、（ａ）フィルタをベースプレート（絞り羽根）に重ね合わせる状態の説明図であり、（ｂ）は重ね合わせた後の状態説明図である。
【図２】本発明に係わる光量調整装置Ｂの構成を示す、組み立て分解図である。
【図３】図１の減光フィルタＡをシート素材から型抜き成形するプレス成形の説明図。
【図４】図１の減光フィルタＡの製造工程を示し、シート素材を載置台にセットした状態の説明図。
【図５】図１の減光フィルタＡを２段階濃度領域で構成した場合の濃度特性曲線と濃度パターンの関連性の説明図。
【図６】図１の減光フィルタＡの製造工程に用いる型抜き成形装置の説明図。
【図７】図７の型抜き成形装置におけるシート素材の型抜き位置の修正状態の説明図であり、（ａ）はシート素材Ｓｈが角度α傾斜した場合の状態説明図（ｂ）はシート素材Ｓｈの濃度パターンが水平方向に位置ズレした場合の状態説明図。
【図８】本発明の減光フィルタの製造方法の工程説明図。
【図９】本発明の減光フィルタの濃度パターンを示し、（ａ）は多段濃度フィルタＳＦのパターン（ｂ）はグラデーションフィルタＧＦのパターンを示す。
【図１０】本発明の減光フィルタの濃度特性を示し、（ａ）は多段濃度フィルタＳＦの濃度変化を、（ｂ）はグラデーションフィルタＧＦの濃度変化を示す。
【図１１】本発明の撮像装置の構造説明図。
【図１２】フィルタを型抜き成形する際にシート素材Ｓｈと型抜き位置との間に傾斜が存在する場合の不具合の説明図。
【図１３】従来のフィルタを型抜き成形する製造方法らにおける接着工程の説明図。
【図１４】従来のフィルタを型抜き成形する製造方法らにおけるフィルタとベースプレートとの位置決め状態の説明図。
【符号の説明】
【００６１】
Ａ      減光フィルタ
Ｂ      光量調整装置
１１    ベースプレート（絞り羽根）
１３    基板
１３ａ  光路開口
１４    フィルタ
１４ｂ  位置合わせ基準面
１４ｃ  位置合わせ基準面
２０    駆動手段（駆動モータ）
４０    冶工具
５１    載置台
５２    テーブル手段
５３    ハンドル操作手段
５５    プレス型
６０    画像読取手段
Ｓｈ    シート素材
【図１】
2010101967.tif 000003
【図２】
2010101967.tif 000004
【図３】
2010101967.tif 000005
【図４】
2010101967.tif 000006
【図５】
2010101967.tif 000007
【図６】
2010101967.tif 000008
【図７】
2010101967.tif 000009
【図８】
2010101967.tif 000010
【図９】
2010101967.tif 000011
【図１０】
2010101967.tif 000012
【図１１】
2010101967.tif 000013
【図１２】
2010101967.tif 000014
【図１３】
2010101967.tif 000015
【図１４】
2010101967.tif 000016